【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
画像データを配信するサーバと、配信された画像データに基づく画像を表示する表示装置とからなる画像表示システムであって、
前記表示装置は、設定された調整パラメータ値である設定パラメータ値を用いて表示特性を調整する機能を有するものであり、
前記サーバは、
複数の照明スペクトルデータを、前記表示装置に設定可能な調整パラメータ値と対応付けて記憶する記憶手段と、
前記表示装置の現在の設定パラメータ値を取得する取得手段と、
前記記憶手段に記憶された複数の照明スペクトルデータにそれぞれ対応する複数の調整パラメータ値と、前記取得手段で取得された設定パラメータ値と、の差に基づいて、前記記憶手段に記憶された複数の照明スペクトルデータのうちの１つを選択する選択手段と、
前記選択手段で選択された照明スペクトルデータと、画素毎の分光反射率のデータとを用いて、該照明スペクトルデータの照明下での被写体の見え方を表す画像データを生成する生成手段と、
前記生成手段で生成された画像データを前記表示装置に配信する配信手段と、
を有する
ことを特徴とする画像表示システム。
【請求項２】
前記選択手段は、対応する調整パラメータ値と前記取得手段で取得された設定パラメータ値との差がもっとも小さい照明スペクトルデータを選択する
ことを特徴とする請求項１に記載の画像表示システム。
【請求項３】
前記生成手段は、
前記選択手段で選択された照明スペクトルデータと、画素毎の分光反射率のデータとを用いて、画素毎の反射スペクトルデータを生成し、
前記表示装置の色再現特性を表すプロファイルデータを用いて、前記画素毎の反射スペクトルデータから、前記表示装置で表示するための画像データを生成する
ことを特徴とする請求項１または２に記載の画像表示システム。
【請求項４】
前記プロファイルデータは、設定パラメータ値が初期値であるときの表示装置の色再現
特性を表すプロファイルデータであり、
前記表示装置は、
前記配信手段で配信された画像データに基づく画像を表示する際に、設定パラメータ値を初期値に変更する変更手段
を有する
ことを特徴とする請求項３に記載の画像表示システム。
【請求項５】
前記配信手段は、前記生成手段で生成された画像データを、フラグを付加して配信し、
前記変更手段は、配信された画像データに前記フラグが付加されていた場合に、設定パラメータ値を初期値に変更する
ことを特徴とする請求項４に記載の画像表示システム。
【請求項６】
画素毎の分光反射率のデータを配信するサーバと、配信された画素毎の分光反射率のデータから画像データを生成し、生成した画像データに基づく画像を表示する表示装置とからなる画像表示システムであって、
前記表示装置は、
設定された調整パラメータ値である設定パラメータ値を用いて表示特性を調整する調整手段と、
複数の照明スペクトルデータを、設定可能な調整パラメータ値と対応付けて記憶する記憶手段と、
前記記憶手段に記憶された複数の照明スペクトルデータにそれぞれ対応する複数の調整パラメータ値と、現在の設定パラメータ値と、の差に基づいて、前記記憶手段に記憶された複数の照明スペクトルデータのうちの１つを選択する選択手段と、
前記選択手段で選択された照明スペクトルデータと、配信された画素毎の分光反射率のデータとを用いて、該照明スペクトルデータの照明下での被写体の見え方を表す画像データを生成する生成手段と、
前記生成手段で生成された画像データに基づく画像を表示する表示手段と、
を有する
ことを特徴とする画像表示システム。
【請求項７】
前記選択手段は、対応する調整パラメータ値と現在の設定パラメータ値との差がもっとも小さい照明スペクトルデータを選択する
ことを特徴とする請求項６に記載の画像表示システム。
【請求項８】
前記生成手段は、
前記選択手段で選択された照明スペクトルデータと、配信された画素毎の分光反射率のデータとを用いて、画素毎の反射スペクトルデータを生成し、
色再現特性を表すプロファイルデータを用いて、前記画素毎の反射スペクトルデータから、前記表示手段で表示するための画像データを生成する
ことを特徴とする請求項６または７に記載の画像表示システム。
【請求項９】
前記プロファイルデータは、設定パラメータ値が初期値であるときの色再現特性を表すプロファイルデータであり、
前記表示装置は、
前記表示手段が前記生成手段で生成された画像データに基づく画像を表示する際に、設定パラメータ値を初期値に変更する変更手段
を更に有する
ことを特徴とする請求項８に記載の画像表示システム。
【請求項１０】
前記サーバは、画素毎の分光反射率のデータを、フラグを付加して配信し、
前記変更手段は、配信された画素毎の分光反射率のデータに前記フラグが付加されていた場合に、設定パラメータ値を初期値に変更する
ことを特徴とする請求項９に記載の画像表示システム。
【請求項１１】
配信された画像データに基づく画像を表示する表示装置に画像データを配信するサーバであって、
前記表示装置は、設定された調整パラメータ値である設定パラメータ値を用いて表示特性を調整する機能を有するものであり、
前記サーバは、
複数の照明スペクトルデータを、前記表示装置に設定可能な調整パラメータ値と対応付けて記憶する記憶手段と、
前記表示装置の現在の設定パラメータ値を取得する取得手段と、
前記記憶手段に記憶された複数の照明スペクトルデータにそれぞれ対応する複数の調整パラメータ値と、前記取得手段で取得された設定パラメータ値と、の差に基づいて、前記記憶手段に記憶された複数の照明スペクトルデータのうちの１つを選択する選択手段と、
前記選択手段で選択された照明スペクトルデータと、画素毎の分光反射率のデータとを用いて、該照明スペクトルデータの照明下での被写体の見え方を表す画像データを生成する生成手段と、
前記生成手段で生成された画像データを前記表示装置に配信する配信手段と、
を有する
ことを特徴とするサーバ。
【請求項１２】
配信された画素毎の分光反射率のデータから画像データを生成し、生成した画像データに基づく画像を表示する表示装置であって、
設定された調整パラメータ値である設定パラメータ値を用いて表示特性を調整する調整手段と、
複数の照明スペクトルデータを、設定可能な調整パラメータ値と対応付けて記憶する記憶手段と、
前記記憶手段に記憶された複数の照明スペクトルデータにそれぞれ対応する複数の調整パラメータ値と、現在の設定パラメータ値と、の差に基づいて、前記記憶手段に記憶された複数の照明スペクトルデータのうちの１つを選択する選択手段と、
前記選択手段で選択された照明スペクトルデータと、配信された画素毎の分光反射率のデータとを用いて、該照明スペクトルデータの照明下での被写体の見え方を表す画像データを生成する生成手段と、
前記生成手段で生成された画像データに基づく画像を表示する表示手段と、
を有する
ことを特徴とする表示装置。
【請求項１３】
画像データを配信するサーバと、配信された画像データに基づく画像を表示する表示装置とからなる画像表示システムの制御方法であって、
前記表示装置は、設定された調整パラメータ値である設定パラメータ値を用いて表示特性を調整する機能を有するものであり、
前記サーバが、前記表示装置の現在の設定パラメータ値を取得する取得ステップと、
前記サーバが、記憶部に記憶された複数の照明スペクトルデータであって、前記表示装置に設定可能な調整パラメータ値と対応付けて記憶された複数の照明スペクトルデータのうちの１つを、前記記憶部に記憶された複数の照明スペクトルデータにそれぞれ対応する複数の調整パラメータ値と、前記取得ステップで取得された設定パラメータ値と、の差に基づいて選択する選択ステップと、
前記サーバが、前記選択ステップで選択された照明スペクトルデータと、画素毎の分光反射率のデータとを用いて、該照明スペクトルデータの照明下での被写体の見え方を表す
画像データを生成する生成ステップと、
前記サーバが、前記生成ステップで生成された画像データを前記表示装置に配信する配信ステップと、
を有する
ことを特徴とする画像表示システムの制御方法。
【請求項１４】
画素毎の分光反射率のデータを配信するサーバと、配信された画素毎の分光反射率のデータから画像データを生成し、生成した画像データに基づく画像を表示する表示装置とからなる画像表示システムの制御方法であって、
前記表示装置が、設定された調整パラメータ値である設定パラメータ値を用いて表示特性を調整する調整ステップと、
前記表示装置が、記憶部に記憶された複数の照明スペクトルデータであって、設定可能な調整パラメータの値と対応付けて記憶された複数の照明スペクトルデータのうちの１つを、前記記憶部に記憶された複数の照明スペクトルデータにそれぞれ対応する複数の調整パラメータ値と、現在の設定パラメータ値と、の差に基づいて選択する選択ステップと、
前記表示装置が、前記選択ステップで選択された照明スペクトルデータと、配信された画素毎の分光反射率のデータとを用いて、該照明スペクトルデータの照明下での被写体の見え方を表す画像データを生成する生成ステップと、
前記表示装置が、前記生成ステップで生成された画像データに基づく画像を表示する表示ステップと、
を有する
ことを特徴とする画像表示システムの制御方法。
【請求項１５】
配信された画像データに基づく画像を表示する表示装置に画像データを配信するサーバの制御方法であって、
前記表示装置は、設定された調整パラメータ値である設定パラメータ値を用いて表示特性を調整する機能を有するものであり、
前記サーバの制御方法は、
前記表示装置の現在の設定パラメータ値を取得する取得ステップと、
記憶部に記憶された複数の照明スペクトルデータであって、前記表示装置に設定可能な調整パラメータ値と対応付けて記憶された複数の照明スペクトルデータのうちの１つを、前記記憶部に記憶された複数の照明スペクトルデータにそれぞれ対応する複数の調整パラメータ値と、前記取得ステップで取得された設定パラメータ値と、の差に基づいて選択する選択ステップと、
前記選択ステップで選択された照明スペクトルデータと、画素毎の分光反射率のデータとを用いて、該照明スペクトルデータの照明下での被写体の見え方を表す画像データを生成する生成ステップと、
前記生成ステップで生成された画像データを前記表示装置に配信する配信ステップと、を有する
ことを特徴とするサーバの制御方法。
【請求項１６】
配信された画素毎の分光反射率のデータから画像データを生成し、生成した画像データに基づく画像を表示する表示装置の制御方法であって、
設定された調整パラメータ値である設定パラメータ値を用いて表示特性を調整する調整ステップと、
記憶部に記憶された複数の照明スペクトルデータであって、設定可能な調整パラメータの値と対応付けて記憶された複数の照明スペクトルデータのうちの１つを、前記記憶部に記憶された複数の照明スペクトルデータにそれぞれ対応する複数の調整パラメータ値と、現在の設定パラメータ値と、の差に基づいて選択する選択ステップと、
前記選択ステップで選択された照明スペクトルデータと、配信された画素毎の分光反射
率のデータとを用いて、該照明スペクトルデータの照明下での被写体の見え方を表す画像データを生成する生成ステップと、
前記生成ステップで生成された画像データに基づく画像を表示する表示ステップと、
を有する
ことを特徴とする表示装置の制御方法。
【手続補正２】
【補正対象書類名】明細書
【補正対象項目名】０００７
【補正方法】変更
【補正の内容】
【０００７】
本発明の第１の態様は、
画像データを配信するサーバと、配信された画像データに基づく画像を表示する表示装置とからなる画像表示システムであって、
前記表示装置は、設定された調整パラメータ値である設定パラメータ値を用いて表示特性を調整する機能を有するものであり、
前記サーバは、
複数の照明スペクトルデータを、前記表示装置に設定可能な調整パラメータ値と対応付けて記憶する記憶手段と、
前記表示装置の現在の設定パラメータ値を取得する取得手段と、
前記記憶手段に記憶された複数の照明スペクトルデータにそれぞれ対応する複数の調整パラメータ値と、前記取得手段で取得された設定パラメータ値と、の差に基づいて、前記記憶手段に記憶された複数の照明スペクトルデータのうちの１つを選択する選択手段と、
前記選択手段で選択された照明スペクトルデータと、画素毎の分光反射率のデータとを用いて、該照明スペクトルデータの照明下での被写体の見え方を表す画像データを生成する生成手段と、
前記生成手段で生成された画像データを前記表示装置に配信する配信手段と、
を有する
ことを特徴とする画像表示システムである。
【手続補正３】
【補正対象書類名】明細書
【補正対象項目名】０００８
【補正方法】変更
【補正の内容】
【０００８】
本発明の第２の態様は、
画素毎の分光反射率のデータを配信するサーバと、配信された画素毎の分光反射率のデータから画像データを生成し、生成した画像データに基づく画像を表示する表示装置とからなる画像表示システムであって、
前記表示装置は、
設定された調整パラメータ値である設定パラメータ値を用いて表示特性を調整する調整手段と、
複数の照明スペクトルデータを、設定可能な調整パラメータ値と対応付けて記憶する記憶手段と、
前記記憶手段に記憶された複数の照明スペクトルデータにそれぞれ対応する複数の調整パラメータ値と、現在の設定パラメータ値と、の差に基づいて、前記記憶手段に記憶された複数の照明スペクトルデータのうちの１つを選択する選択手段と、
前記選択手段で選択された照明スペクトルデータと、配信された画素毎の分光反射率の
データとを用いて、該照明スペクトルデータの照明下での被写体の見え方を表す画像データを生成する生成手段と、
前記生成手段で生成された画像データに基づく画像を表示する表示手段と、
を有する
ことを特徴とする画像表示システムである。
【手続補正４】
【補正対象書類名】明細書
【補正対象項目名】０００９
【補正方法】変更
【補正の内容】
【０００９】
本発明の第３の態様は、
配信された画像データに基づく画像を表示する表示装置に画像データを配信するサーバであって、
前記表示装置は、設定された調整パラメータ値である設定パラメータ値を用いて表示特性を調整する機能を有するものであり、
前記サーバは、
複数の照明スペクトルデータを、前記表示装置に設定可能な調整パラメータ値と対応付けて記憶する記憶手段と、
前記表示装置の現在の設定パラメータ値を取得する取得手段と、
前記記憶手段に記憶された複数の照明スペクトルデータにそれぞれ対応する複数の調整パラメータ値と、前記取得手段で取得された設定パラメータ値と、の差に基づいて、前記記憶手段に記憶された複数の照明スペクトルデータのうちの１つを選択する選択手段と、
前記選択手段で選択された照明スペクトルデータと、画素毎の分光反射率のデータとを用いて、該照明スペクトルデータの照明下での被写体の見え方を表す画像データを生成する生成手段と、
前記生成手段で生成された画像データを前記表示装置に配信する配信手段と、
を有する
ことを特徴とするサーバである。
【手続補正５】
【補正対象書類名】明細書
【補正対象項目名】００１０
【補正方法】変更
【補正の内容】
【００１０】
本発明の第４の態様は、
配信された画素毎の分光反射率のデータから画像データを生成し、生成した画像データに基づく画像を表示する表示装置であって、
設定された調整パラメータ値である設定パラメータ値を用いて表示特性を調整する調整手段と、
複数の照明スペクトルデータを、設定可能な調整パラメータ値と対応付けて記憶する記憶手段と、
前記記憶手段に記憶された複数の照明スペクトルデータにそれぞれ対応する複数の調整パラメータ値と、現在の設定パラメータ値と、の差に基づいて、前記記憶手段に記憶された複数の照明スペクトルデータのうちの１つを選択する選択手段と、
前記選択手段で選択された照明スペクトルデータと、配信された画素毎の分光反射率のデータとを用いて、該照明スペクトルデータの照明下での被写体の見え方を表す画像データを生成する生成手段と、
前記生成手段で生成された画像データに基づく画像を表示する表示手段と、
を有する
ことを特徴とする表示装置である。
【手続補正６】
【補正対象書類名】明細書
【補正対象項目名】００１１
【補正方法】変更
【補正の内容】
【００１１】
本発明の第５の態様は、
画像データを配信するサーバと、配信された画像データに基づく画像を表示する表示装置とからなる画像表示システムの制御方法であって、
前記表示装置は、設定された調整パラメータ値である設定パラメータ値を用いて表示特性を調整する機能を有するものであり、
前記サーバが、前記表示装置の現在の設定パラメータ値を取得する取得ステップと、
前記サーバが、記憶部に記憶された複数の照明スペクトルデータであって、前記表示装置に設定可能な調整パラメータ値と対応付けて記憶された複数の照明スペクトルデータのうちの１つを、前記記憶部に記憶された複数の照明スペクトルデータにそれぞれ対応する複数の調整パラメータ値と、前記取得ステップで取得された設定パラメータ値と、の差に基づいて選択する選択ステップと、
前記サーバが、前記選択ステップで選択された照明スペクトルデータと、画素毎の分光反射率のデータとを用いて、該照明スペクトルデータの照明下での被写体の見え方を表す画像データを生成する生成ステップと、
前記サーバが、前記生成ステップで生成された画像データを前記表示装置に配信する配信ステップと、
を有する
ことを特徴とする画像表示システムの制御方法である。
【手続補正７】
【補正対象書類名】明細書
【補正対象項目名】００１２
【補正方法】変更
【補正の内容】
【００１２】
本発明の第６の態様は、
画素毎の分光反射率のデータを配信するサーバと、配信された画素毎の分光反射率のデータから画像データを生成し、生成した画像データに基づく画像を表示する表示装置とからなる画像表示システムの制御方法であって、
前記表示装置が、設定された調整パラメータ値である設定パラメータ値を用いて表示特性を調整する調整ステップと、
前記表示装置が、記憶部に記憶された複数の照明スペクトルデータであって、設定可能な調整パラメータの値と対応付けて記憶された複数の照明スペクトルデータのうちの１つを、前記記憶部に記憶された複数の照明スペクトルデータにそれぞれ対応する複数の調整パラメータ値と、現在の設定パラメータ値と、の差に基づいて選択する選択ステップと、
前記表示装置が、前記選択ステップで選択された照明スペクトルデータと、配信された画素毎の分光反射率のデータとを用いて、該照明スペクトルデータの照明下での被写体の見え方を表す画像データを生成する生成ステップと、
前記表示装置が、前記生成ステップで生成された画像データに基づく画像を表示する表示ステップと、
を有する
ことを特徴とする画像表示システムの制御方法である。
本発明の第７の態様は、
配信された画像データに基づく画像を表示する表示装置に画像データを配信するサーバの制御方法であって、
前記表示装置は、設定された調整パラメータ値である設定パラメータ値を用いて表示特性を調整する機能を有するものであり、
前記サーバの制御方法は、
前記表示装置の現在の設定パラメータ値を取得する取得ステップと、
記憶部に記憶された複数の照明スペクトルデータであって、前記表示装置に設定可能な調整パラメータ値と対応付けて記憶された複数の照明スペクトルデータのうちの１つを、前記記憶部に記憶された複数の照明スペクトルデータにそれぞれ対応する複数の調整パラメータ値と、前記取得ステップで取得された設定パラメータ値と、の差に基づいて選択する選択ステップと、
前記選択ステップで選択された照明スペクトルデータと、画素毎の分光反射率のデータとを用いて、該照明スペクトルデータの照明下での被写体の見え方を表す画像データを生成する生成ステップと、
前記生成ステップで生成された画像データを前記表示装置に配信する配信ステップと、を有する
ことを特徴とするサーバの制御方法である。
本発明の第８の態様は、
配信された画素毎の分光反射率のデータから画像データを生成し、生成した画像データに基づく画像を表示する表示装置の制御方法であって、
設定された調整パラメータ値である設定パラメータ値を用いて表示特性を調整する調整ステップと、
記憶部に記憶された複数の照明スペクトルデータであって、設定可能な調整パラメータの値と対応付けて記憶された複数の照明スペクトルデータのうちの１つを、前記記憶部に記憶された複数の照明スペクトルデータにそれぞれ対応する複数の調整パラメータ値と、現在の設定パラメータ値と、の差に基づいて選択する選択ステップと、
前記選択ステップで選択された照明スペクトルデータと、配信された画素毎の分光反射率のデータとを用いて、該照明スペクトルデータの照明下での被写体の見え方を表す画像データを生成する生成ステップと、
前記生成ステップで生成された画像データに基づく画像を表示する表示ステップと、
を有する
ことを特徴とする表示装置の制御方法である。